【事件の表示】
　特願２０００−５７３８９１「かみそりカートリッジ、又はかみそりハンドルの製造方法」拒絶査定不服審判事件〔平成１２年　３月３０日国際公開、ＷＯ００／１６９５１、平成１４年　８月２０日国内公表、特表２００２−５２６２２０〕について、次のとおり審決する。
【結　論】
　本件審判の請求は、成り立たない。
【理　由】
１　手続の経緯・本件発明
　本件出願は、平成１０年９月２４日を国際出願日とする特許出願であって、その請求項１乃至８に係る発明は、願書に添付した明細書及び図面の記載からみて、その特許請求の範囲の請求項１乃至８に記載された事項により特定されるとおりのものと認めるところ、請求項５に係る発明（以下「本件発明」という。）は、次のとおりである。
　
「第１のかみそり刃キャリアと第２のかみそり刃キャリアと共に使用するためのかみそりハンドルの製造方法であって、前記第１のかみそり刃キャリアは第１のキャリア係合部材を有すると共に前記第２のかみそり刃キャリアは第２のキャリア係合部材を有し、上記第１のキャリア係合部材が上記第２のキャリア係合部材と異なるような上記製造方法であり、前記製造方法が、
　実質的に同じである第１及び第２のかみそりハンドル係合部材をそれぞれ有している第１及び第２の実質的に同じであるかみそりハンドルを製造する段階と、
　２つの側部を有する第１のアダプタユニットを製造する段階であって、前記第１のアダプタユニットを前記第１のかみそり刃キャリアに取付けるために、第１の側部は、前記第１のハンドル係合部材とスナップ結合するための形状された第１のアダプタ係合部材を有し、第２の側部は、前記第１のキャリア係合部材と結合するための形状にされた第２のアダプタ係合部材を有する段階と、
　２つの側部を有する第２のアダプタユニットを製造する段階であって、前記第２のアダプタユニットを前記第２のかみそり刃キャリアに取付けるために、第１の側部は、前記第２のハンドル係合部材とスナップ結合するための形状された第３のアダプタ係合部材を有し、第２の側部は、前記第２のキャリア係合部材と結合するための形状にされた第４のアダプタ係合部材を有する段階と、を備えていることを特徴とするかみそりハンドルの製造方法。」
　
　そして、第１又は第２のかみそり刃キャリア、それぞれに適合する第１又は第２のアダプタユニットを利用することにより、かみそりキャリアが異なっていても、共通のかみそりハンドルが利用可能となるものである。
　
２　引用例記載事項
　これに対して、原査定の拒絶の理由に引用された本件出願前に頒布された刊行物である実願昭５５−１２２４２６号（実開昭５７−４５８６４号）のマイクロフィルム（以下「引用例」という。）には、次の事項が記載されていると認める。
　なお、平成１６年１月２７日付拒絶理由通知書には、刊行物１として「特開昭５７−４５８６４号公報」と記載されているが、この記載は、上記引用例である「実願昭５５−１２２４２６号（実開昭５７−４５８６４号）のマイクロフィルム」の誤記であり、そして、平成１６年８月２日付意見書において、上記引用例に記載の内容に対して意見が述べられているので、上記引用例は原査定の拒絶の理由に引用されたものとする。
　
(1) 明細書２頁７行−３頁末行
「次に本考案の構成を図面に示す実施例に従って説明する。安全かみそりは、ヘッド１とハンドル２とからなり、ヘッド１は組立刃体３と接続体４とからなる。組立刃体３の裏面には刃体の長さ方向に一対の平行な内向きの条溝５、５が設けられている。接続体４には接続体４の長さ方向に一対の平行な外向きの突条６、６が設けられている。該突条６、６を前記条溝５、５内に側面から摺動して嵌入することにより、ヘッド１が形成される。前記両突条６、６の間に介在する板部７、７には長さ方向の軸受溝８、８が穿設されている。接続体４の裏面には一対の平行な突出片１１、１１により凹部１２が形成されている。
　他方、ハンドル２の一端には、一対のアーム９、９が設けられている。該アーム９、９はそれ自身の弾性により外側に押し広げることができる。前記ハンドル２のアーム９、９の間から弾性片１３が突出し、該弾性片１３の先端部には頭部１４が設けられている。該頭部１４の断面の形状は略円形である。
　前記ハンドル２に前記組立刃体３と接続体４とを結合したヘッド１を取り付けるためには、弾性片１３の頭部１４を接続体４の凹部１２に嵌合しつつ、アーム９、９を外側に押し広げ、前記軸受溝８、８に嵌入する。なお、図面に示したのは一つの実施例であって、これに示すようなヘッド１に代えて、組立刃体３のみをヘッドとし、該組立刃体に、直接、軸受溝と凹部を設けてもよい。」
(2) 第１−３図
　軸受溝８、８と結合する軸１０、１０がアーム９、９の先端に設けられていること。
　
　上記摘記事項より、引用例には、次の「ハンドルの製造方法」が記載されていると認める。
「組立刃体３と共に使用するためのハンドル２の製造方法であって、前記組立刃体３は条溝５、５を有する上記製造方法であり、前記製造方法が、
　アーム９、９に設けられている軸１０、１０及び弾性片１３に設けられている頭部１４を有しているハンドル２を製造する段階と、
　接続体４を製造する段階であって、前記接続体４を前記組立刃体３に取付けるために突条６、６を有し、前記軸１０、１０及び頭部１４と結合するための形状にされた軸受溝８、８及び凹部１２を有する段階と、を備えているハンドルの製造方法。」
（以下「引用例記載の発明」という。）。
　
３　対比
　本件発明と引用例記載の発明とを対比すると、引用例記載の発明の「ハンドルの製造方法」は本件発明の「かみそりハンドルの製造方法」に相当している。
　また、引用例記載の発明の「組立刃体」は、かみそり刃キャリアであることに限り、本件発明の「第１のかみそり刃キャリア」及び「第２のかみそり刃キャリア」に一致しており、
以下同様に、「ハンドル」は、かみそりハンドルであることに限り、本件発明の「第１及び第２の実質的に同じであるかみそりハンドル」に一致しており、
「条溝」は、キャリア係合部材であることに限り、「第１のキャリア係合部材」及び「第２のキャリア係合部材」に一致しており、
「接続体」は、かみそりハンドルとかみそり刃キャリアとの間に介在されて両者を係合するものであるので、接続体であることに限り、「第１のアダプタユニット」及び「第２のアダプタユニット」に一致しており、
「突条」は、キャリア側の係合部材であることに限り、「第２のアダプタ係合部材」及び「第４のアダプタ係合部材」に一致しており、
「軸及び頭部」は、かみそりハンドル係合部材であることに限り、「第１のハンドル係合部材」及び「第２のハンドル係合部材」に一致しており、
「軸受溝及び凹部」は、ハンドル側の係合部材であることに限り、「第１のアダプタ係合部材」及び「第３のアダプタ係合部材」に一致している。
　
　以上のとおりであるので、両者は次の「かみそりハンドルの製造方法」で一致している。
「かみそり刃キャリアと共に使用するためのかみそりハンドルの製造方法であって、前記かみそり刃キャリアはキャリア係合部材を有する上記製造方法であり、前記製造方法が、
　かみそりハンドル係合部材を有しているかみそりハンドルを製造する段階と、
　接続体を製造する段階であって、前記接続体を前記かみそり刃キャリアに取付けるために、前記ハンドル係合部材と結合するための形状にされたハンドル側の係合部材を有し、前記キャリア係合部材と結合するための形状にされたキャリア側の係合部材を有する段階と、を備えているかみそりハンドルの製造方法。」
　
　そして、本件発明では、かみそり刃キャリアが第１のかみそり刃キャリア及び第２のかみそり刃キャリアとからなり、第１のかみそり刃キャリアが有する第１のキャリア係合部材と第２のかみそり刃キャリアが有する第２のキャリア係合部材とが異なるものであり、かみそりハンドルが実質的に同じである第１及び第２のかみそりハンドル係合部材をそれぞれ有している第１及び第２の実質的に同じであるかみそりハンドルであり、接続体が２つの側部を有する第１のアダプタユニット及び第２のアダプタユニットからなり、前記第１のアダプタユニットは、前記第１のかみそり刃キャリアに取付けるために、第１の側部は、前記第１のハンドル係合部材とスナップ結合するための形状にされた第１のアダプタ係合部材を有し、第２の側部は、前記第１のキャリア係合部材と結合するための形状にされた第２のアダプタ係合部材を有するものであり、前記第２のアダプタユニットは、前記第２のかみそり刃キャリアに取付けるために、第１の側部は、前記第２のハンドル係合部材とスナップ結合するための形状された第３のアダプタ係合部材を有し、第２の側部は、前記第２のキャリア係合部材と結合するための形状にされた第４のアダプタ係合部材を有するものであるのに対し、引用例記載の発明ではそのようなものではない点で、両者は相違している。
　
４　相違点についての検討
　そこで、上記相違している点について、検討する。
　一方の部材と他方の部材とを係合するものにおいて、両部材間にアダプタユニットを介在させることにより、一方の部材と他方の形状が異なる複数の部材とが係合できるようにすることは、例えば、実願昭６０−１９７１３０号（実開昭６２−１０４８７１号）のマイクロフィルム（アタッチメント３３、３６参照）、特開平８−３２３６３５号公報（エキステンションバー８と２８、又は１８と３８参照）、実願昭５８−９７１１５号（実開昭６０−６６２５号）のマイクロフィルム（エンジンマウントブラケット６、６′参照）、実願昭６３−１６８０８１号（実開平２−８９０５７号）のマイクロフィルム（アダプタ２１−２６参照）、特開平４−２６７０７９号公報（交換可能アダプタ挿入物１１ａ、１１ｂ、１１ｃ、１１ｄ参照）等に記載されているように、特定の分野に限らず種々の分野で採用されている従来周知の事項であるから、この従来周知の事項を、かみそりハンドルとかみそり刃キャリアとの係合に採用することは、必要に応じてなしうることである。
　したがって、引用例記載の発明において、かみそりハンドルとかみそり刃キャリアとの間にアダプタユニットを介在させて、かみそりハンドルと形状が異なる複数のかみそり刃キャリアとが係合できるようにすることに格別の困難性はなく、そして、引用例記載の発明では、かみそりハンドルとかみそり刃キャリアとの間に接続体が介在されているので、該接続体をアダプタユニットに変更して第１のアダプタユニット及び第２のアダプタユニットとし、かみそり刃キャリアを第１のキャリア係合部材を有する第１のかみそり刃キャリア及び第１のキャリア係合部材と異なる第２のキャリア係合部材を有する第２のかみそり刃キャリアとし、かみそりハンドルを実質的に同じである第１及び第２のかみそりハンドル係合部材をそれぞれ有している第１及び第２の実質的に同じであるかみそりハンドルとし、第１のアダプタユニットは、第１のかみそり刃キャリアに取付けるために、ハンドル側の係合部材を第１のハンドル係合部材と結合するための形状にされた第１のアダプタ係合部材とし、キャリア側の係合部材を第１のキャリア係合部材と結合するための形状にされた第２のアダプタ係合部材を有するものとし、第２のアダプタユニットは、第２のかみそり刃キャリアに取付けるために、ハンドル側の係合部材を第２のハンドル係合部材と結合するための形状にされた第３のアダプタ係合部材とし、キャリア側の係合部材を第２のキャリア係合部材と結合するための形状にされた第４のアダプタ係合部材を有するものとすることは、当業者が容易に想到することができたことである。
　また、第１のアダプタ係合部材及び第２のアダプタ係合部材を第１のアダプタユニットの第１の側部及び第２の側部に、第３のアダプタ係合部材及び第４のアダプタ係合部材を第２のアダプタユニットの第１の側部及び第２の側部にそれぞれ設けることは、係合機能が発揮される限りにおいて、適宜なし得る設計的事項にすぎず、部材の結合としてスナップ結合は、例示するまでもなく従来周知であるので、第１のハンドル係合部材と第１のアダプタ係合部材との結合、第２のハンドル係合部材と第３のアダプタ係合部材との結合をそれぞれスナップ結合することも、設計事項である。
　さらに、本件発明の奏する作用効果についても、引用例記載の発明及び上記従来周知の各事項より当業者が予測できる程度のものであって、格別のものではない。
　
５　むすび
　以上のとおり、本件発明は、引用例記載の発明及び上記従来周知の各事項に基づいて当業者が容易に発明をすることができたものであるから、特許法第２９条第２項の規定により特許を受けることができない。
　したがって、本件出願の請求項１乃至４及び６乃至８に係る発明について判断するまでもなく、本件出願は拒絶すべきものである。
　よって、結論のとおり審決する。